(57)【要約】【課題】容器本体２とキャップ１とを備えるキャップ付き容器であって、前記キャップが、キャップ天板１１と、このキャップ天板の外周から垂下するキャップ周壁１２と、キャップ周壁の内側の位置でキャップ天板の外周から垂下するインナーリング１３とを備え、キャップ周壁とインナーリングとの間に容器本体の開口部の周壁を挟むことにより容器本体の開口部を閉塞した容器において、インナーリングと容器本体の開口部周壁との密着性を強くして、しかも、キャップを容易に装着できるキャップ付き容器を提供すること。【解決手段】インナーリングに屈曲部１３ｂを設け、屈曲部の外径を容器本体の開口部周壁の内径より大きく構成し、屈曲部より上方１３ａではキャップ天板から屈曲部に向かって拡径する形状を有し、屈曲部より下方１３ｃでは屈曲部から下端に向かって縮径して、下端部１３ｄを容器本体の開口部周壁の内径より小さく構成する。【選択図】図１
2014218283.tif 000002
【特許請求の範囲】
【請求項１】
容器本体とキャップとを備えて構成されるキャップ付き容器であって、前記キャップが、容器本体の開口部を閉塞するキャップ天板と、このキャップ天板の外周から垂下するキャップ周壁と、このキャップ周壁の内側の位置でキャップ天板の外周から垂下するインナーリングとを備えており、前記キャップ周壁とインナーリングとの間に容器本体の開口部の周壁を挟むことにより容器本体の開口部を閉塞した容器において、
前記インナーリングが屈曲部を有しており、この屈曲部の外径が容器本体の開口部周壁の内径より大きく構成されていると共に、この屈曲部より上方においては前記インナーリングがキャップ天板から屈曲部に向かって拡径する形状を有し、屈曲部より下方においては前記インナーリングが屈曲部から下端に向かって縮径して、その下端部が容器本体の開口部周壁の内径より小さく構成されていることを特徴とするキャップ付き容器。
【請求項２】
前記キャップ周壁が内側に向かう突出部を備えており、かつ、この突出部は前記インナーリングの屈曲部より上方に位置していることを特徴とする請求項１に記載のキャップ付き容器。
【請求項３】
キャップ周壁の前記突出部が容器本体の周方向に複数個設けられていることを特徴とする請求項２に記載のキャップ付き容器。
【請求項４】
前記容器本体とキャップのうちいずれか一方が他方より柔軟な材質から構成されていることを特徴とする請求項１〜３のいずれかに記載のキャップ付き容器。
【請求項５】
前記容器本体とキャップのいずれもが紫外線遮断性を有することを特徴とする請求項１〜４のいずれかに記載のキャップ付き容器。
【発明の詳細な説明】
【技術分野】
【０００１】
本発明は、容器本体とキャップとを備えて構成されるキャップ付き容器に関する。このキャップはキャップ天板の外周から垂下するキャップ周壁と、このキャップ周壁の内側の位置でキャップ天板の外周から垂下するインナーリングとを備えており、前記キャップ周壁とインナーリングとの間に容器本体の開口部の周壁を挟むことにより容器本体の開口部を閉塞して密閉するものである。
【背景技術】
【０００２】
このようなキャップ付き容器は、例えば特許文献１に記載のように周知である。
特許文献１に記載のキャップ付き容器は、プラスチックボトルを容器本体とし、その開口部の外周にねじ部が設けられており、一方、キャップ周壁の内面にもねじ部が設けられている。そして、キャップを捩じ込むことにより容器本体の開口部の周壁がキャップ周壁とインナーリングとの間に進入し、これらキャップ周壁とインナーリングとがプラスチックボトルの開口部周壁を押圧して密閉する。
【０００３】
しかしながら、このようなキャップ付き容器においては、キャップを捩じ込んで容器本体の開口部周壁を進入させたとき、容器本体の開口部周壁の先端の端部がインナーリングの下端部に突き当たって、その進入を妨害することがある。一方、インナーリングを容器本体の開口部周壁の内径より小さく構成すれば、その開口部周壁がインナーリングの下端部に突き当たることを防ぐことができ、スムーズにキャップを装着することが可能になるが、装着したキャップのインナーリングと開口部周壁との密着性が弱まり、このため、容器の密封性が阻害される。
【先行技術文献】
【特許文献】
【０００４】
【特許文献１】特開２００１−２３３３６２号公報
【発明の概要】
【発明が解決しようとする課題】
【０００５】
本発明は、このような事情に基づいてなされたもので、インナーリングと容器本体の開口部周壁との密着性を強くして、しかも、キャップを容易に装着できるキャップ付き容器を提供することを目的とするものである。
【課題を解決するための手段】
【０００６】
すなわち、請求項１に記載の発明は、容器本体とキャップとを備えて構成されるキャップ付き容器であって、前記キャップが、容器本体の開口部を閉塞するキャップ天板と、このキャップ天板の外周から垂下するキャップ周壁と、このキャップ周壁の内側の位置でキャップ天板の外周から垂下するインナーリングとを備えており、前記キャップ周壁とインナーリングとの間に容器本体の開口部の周壁を挟むことにより容器本体の開口部を閉塞した容器において、
前記インナーリングが屈曲部を有しており、この屈曲部の外径が容器本体の開口部周壁の内径より大きく構成されていると共に、この屈曲部より上方においては前記インナーリングがキャップ天板から屈曲部に向かって拡径する形状を有し、屈曲部より下方においては前記インナーリングが屈曲部から下端に向かって縮径して、その下端部が容器本体の開口部周壁の内径より小さく構成されていることを特徴とするキャップ付き容器である。
【０００７】
この発明においては、インナーリングの屈曲部の外径が容器本体の開口部周壁の内径よ
り大きく構成されているから、容器本体にキャップを装着したときには、この屈曲部が開口部周壁を内側から押圧する。このように、キャップを装着した状態では、インナーリングの屈曲部に外向きの応力がかかった状態に維持されるため、両者は強い力で密着する。なお、インナーリングと容器本体の開口部周壁とは前記屈曲部で線接触するから、その全周に渡って均一な力で密着する。そして、この線状の密着部分で、容器は密封されるのである。
【０００８】
次に、インナーリングの下端部は容器本体の開口部周壁の内径より小さく構成されているから、キャップを容器本体に装着するとき、容器本体の開口部周壁がインナーリングの下端部に突き当たることがない。しかも、インナーリングは前記密着部分で屈曲しており、すなわち、インナーリングの外面及び内面のいずれもが、キャップ天板から屈曲部に向かって拡径する形状を有し、また、屈曲部から下端に向かって縮径する形状を有しているため、開口部周壁の進入に伴って屈曲部や上方部でインナーリングが内側に向かって撓むことになる。そして、このため、開口部周壁がインナーリングの下端部とキャップ周壁の間にはさまれた後も、強い抵抗を受けることなく、スムーズに進入することができる。
【０００９】
このように、本発明によれば、インナーリングの屈曲部が容器本体の開口部周壁の内径より大きく構成されているから、この屈曲部で十分に密封することができるにも拘わらず、容器本体の開口部周壁がインナーリングの下端部に突き当たることがなく、また、その進入が容易となる。
【００１０】
次に、請求項２に記載の発明は、前記キャップ周壁が内側に向かう突出部を備えており、かつ、この突出部は前記インナーリングの屈曲部より上方に位置していることを特徴とする請求項１に記載のキャップ付き容器である。
【００１１】
この発明によれば、インナーリングの屈曲部が容器本体の開口部周壁を外側に向けて押圧する一方、その上方位置で、キャップ周壁の突出部が内側に向けて押圧するから、前記屈曲部における密着性が高まり、一層確実に密封することが可能となる。
【００１２】
また、請求項３に記載の発明は、キャップ周壁の前記突出部が容器本体の周方向に複数個設けられていることを特徴とする請求項２に記載のキャップ付き容器である。
【００１３】
この発明によれば、前記突出部が周方向に複数個設けられているから、その周囲にわたって、均一な力で密封することができる。なお、これら複数個の突出部は、容器本体の開口部周壁の周方向に均一に設けられていることが望ましい。例えば、前記開口部周壁を横方向に切断したとき、その横断面の中心角を等分に分ける位置である。
【００１４】
また、請求項４に記載の発明は、前記容器本体とキャップのうちいずれか一方が他方より柔軟な材質から構成されていることを特徴とする請求項１〜３のいずれかに記載のキャップ付き容器である。キャップが柔軟な材質から構成されている場合には、前記屈曲部や上方部でインナーリングが内側に向かって一層柔軟に撓むから、開口部周壁の進入が一層容易になる。また、容器本体が柔軟な材質から構成されている場合には、前記屈曲部や上方部でインナーリングが内側に向かってに撓むと共に、開口部周壁が外側に向かって撓むから、この場合にも、開口部周壁の進入が一層容易になる。すなわち、いずれの場合にも、開口部周壁の進入が一層容易になるのである。
【００１５】
次に、請求項５に記載の発明は、前記容器本体とキャップのいずれもが紫外線遮断性を有することを特徴とする請求項１〜４のいずれかに記載のキャップ付き容器である。このキャップ付き容器は、紫外線によって劣化し易い内容物を収容する容器として適している。例えば、紫外線硬化型インキの容器である。
【発明の効果】
【００１６】
本発明によれば、インナーリングで十分に密封することができ、しかも、キャップの装着にあたって容器本体の開口部周壁がインナーリングの下端部に突き当たることがなく、また、その進入が容易となる。
【図面の簡単な説明】
【００１７】
【図１】本発明に係るキャップ付き容器の要部断面図。
【発明を実施するための形態】
【００１８】
本発明の容器は、容器本体とキャップとを必須の構成要素とするものである。図１は、容器本体の開口部周辺を示す要部断面図である。
【００１９】
図１から分かるように、本発明に係るキャップ１は、容器本体２の開口部を閉塞するキャップ天板１１を有しており、このキャップ天板１の外周からキャップ周壁１２が垂下している。また、キャップ周壁１２の内側の位置でキャップ天板１１の外周からインナーリング１３が垂下している。
【００２０】
容器本体２の開口部は円筒状の周壁２２に囲まれている。そして、この開口部周壁２２の外周にねじ部２２ａが設けられており、他方、キャップ周壁１２内面にもねじ部１２ａが設けられている。そして、これら容器本体２のねじ部２２ａとキャップ周壁１２のねじ部１２ａとを螺合することにより、キャップ１が容器本体２に装着されている。もちろん、キャップ１と容器本体２とは開封と装着（すなわち、脱着）を繰り返すことができる。なお、キャップ１を容器本体２に装着した状態では、キャップ天板１１が容器本体２の開口部を閉塞している。
【００２１】
インナーリング１３は、キャップ天板１１からその下端部１３ｄに向けて、その中央に位置する屈曲部１３ｂと、この屈曲部１３ｂよりキャップ天板１１に近い上方部１３ａと、屈曲部１３ｂより下端部１３ｄに近い下方部１３ｃに分けることができる。屈曲部１３ｂの外径は、上方部１３ａの外径及び下方部１３ｃの外径より大きく構成されている。すなわち、インナーリング１３の各部分のうち、もっとも外径が大きい部分である。そして、この屈曲部１３ｂの外径は容器本体２の開口部周壁２２の内径より大きく構成されている。このため、キャップ１を容器本体２に装着した状態で、キャップ１を容器本体２とは、この屈曲部１３ｂで線接触し、この屈曲部１３ｂが開口部周壁２２を内側から押圧して密封している。
【００２２】
なお、屈曲部１３ｂは、その内径も上方部１３ａの内径及び下方部１３ｃの内径より大きく構成されている。このため、屈曲部１３ｂの肉厚は上方部１３ａの肉厚と同じ肉厚に構成されている。このように、屈曲部１３ｂの肉厚と上方部１３ａの肉厚とを同じにして、しかも、屈曲部１３ｂの外径を最大とするため、この屈曲部１３ｂより上方の上方部１３ａにおいては前記インナーリング１３の外径と内径が、いずれも、キャップ天板１１から屈曲部１３ｂに向かって拡径するように構成されている。
【００２３】
また、インナーリング１３の下端部１３ｄは、容器本体２の開口部周壁２２の内径より小さく構成されている。このため、キャップを容器本体に装着するとき、容器本体２の開口部周壁２２がインナーリング１３の下端部１３ｄに突き当たることがない。前述のように、屈曲部１３ｂから下端部１３ｄに至る下方部１３ｃの外径は、屈曲部１３ｂの外径より小さく構成されており、また、下方部１３ｃの内径も屈曲部１３ｂの内径より小さく構成されている。このため、下方部１３ｃにおいては前記インナーリング１３の外径と内径とが、いずれも、屈曲部１３ｂから下端部１３ｄに向かって縮径してするように構成され
ている。
【００２４】
なお、下端部１３ｄの肉厚は、上方部１３ａや屈曲部１３ｂの肉厚より薄く構成することが望ましい。このため、下方部１３ｃにおいては、屈曲部１３ｂから下端部１３ｄに向かって、その肉厚が漸減するよう構成されていることが望ましい。
【００２５】
そして、このように、インナーリング１３がその途中の屈曲部１３ｂで屈曲しているため、すなわち、インナーリング１３の外径と内径が、いずれも、屈曲部１３ｂで最大となるように構成されているため、屈曲部１３ｂが開口部周壁２２を内側から押圧して密封しているにも拘らず、キャップ２の装着にあたっては、開口部周壁２２の進入に伴ってインナーリング１３が撓み、強い抵抗を受けることなくスムーズに装着することが可能となる。
【００２６】
次に、キャップ周壁１２の内面には、内側に向かう突出部１２ｂが設けられている。この突出部１２ｂは、ねじ部１２ａより上方位置に配置されており、また、前記屈曲部１３ｂより上方位置に配置されている。そして、この突出部１２ｂは開口部周壁２２を内側に向けて押圧して、開口部周壁２２を前記屈曲部１３ｂに押し付け、両者の密着性を向上させる。すなわち、このように複数個の突出部１２ｂにより開口部周壁２２を内側に向けて押圧し、前記屈曲部１３ｂで外側に向けて押圧することにより、開口部周壁２２には捩れる方向に力が働くことになるから、容器本体２の開口部周壁２２は強い力で前記屈曲部１３ｂに密着して密封性を向上させ、かつ、キャップ１が容器本体２に強固に固定される。
【００２７】
そして、このように容器本体２の開口部周壁２２を強制的に屈曲部１３ｂに押圧するから、開口部周壁２２が柔軟性を有する場合であっても、開口部周壁２２を前記屈曲部１３ｂに十分に密着させて、その密封性を向上させることができる。例えば、開口部周壁２２の肉厚が１ｍｍ以下で、開口部の口径が１００ｍｍ以上の円筒形を有する容器本体２の場合である。このような肉薄大口径の円筒形状開口部周壁２２を有する容器本体２の場合には、その開口部周壁２２は、一般に、横方向の力によって潰れて楕円形状に変形し易く、この変形によって不用意に開口し易い。しかしながら、このような肉薄大口径の円筒形状開口部周壁２２を有する場合にあっても、前記屈曲部１３ｂと複数個の突出部１２ｂとで内外から開口部周壁２２を挟み込み、かつ、捩れる方向に押圧することにより、開口部周壁２２の変形を防止して、その開口を防止することが可能である。
【００２８】
なお、このように突出部１２ｂが容器本体２の開口部周壁２２を強制的に屈曲部１３ｂに押圧する場合であっても、キャップ１の装着にあたっては、開口部周壁２２の進入に伴ってインナーリング１３が撓むから、強い抵抗を受けることなくスムーズに装着することが可能となる。
【００２９】
なお、突出部１２ｂが前記屈曲部１３ｂより低い位置にある場合には、キャップ１を容器本体に固定したときに、開口部周壁２２に対して捩れる方向の力が働かないこととなり、両者の密封性を向上させることが困難となる。
【００３０】
また、突出部１２ｂが前記屈曲部１３ｂと同じ高さにある場合にはキャップ１と容器本体とは一層強い力で固定されることになるが、キャップ１は容器本体２に装着する際に、開口部周壁２２の先端がこの位置に到達した際に、トルクが急激に高くなり、そのスムーズな装着が困難である。
【００３１】
この突出部１２ｂは、容器本体２の周方向に１６個設けられている。その位置は、前記開口部周壁２２を横方向に切断したとき、その横断面の中心角を１６等分する位置である。このため、これら１６個の突出部１２ｂは、開口部周壁２２をその周囲にわたって均一な力で押圧する。突出部１２ｂの数は１６個に限られないが、複数個設けられていることが望ましい。好ましくは４個以上であり、例えば６個、あるいは８個である。なお、開口部周壁２２の全周に渡ってこの突出部１２ｂを設けることもできるが、この場合には、キャップ１は容器本体２に装着する際に、開口部周壁２２の先端がこの位置に到達した際に、トルクが急激に高くなり、そのスムーズな装着が困難となる。
【００３２】
このようなキャップ１及び容器本体２は、任意の熱可塑性樹脂を材質として成形することが可能である。例えば、低密度ポリエチレン、高密度ポリエチレン、ポリプロピレン、ポリ塩化ビニル、ポリ塩化ビニリデン、ポリエステル、ポリアミド、ポリスチレンなどである。また、これらの樹脂に適切な添加剤を混合して成形することも可能である。例えば、着色剤、あるいは、紫外線吸収剤である。キャップ１及び容器本体２の両者を紫外線吸収剤を添加した樹脂で成形すれば、これらキャップ１と容器本体２の両者は紫外線遮断性を有する結果となるから、紫外線によって劣化し易い内容物を収容する容器として適している。また、カーボンブラックを添加した黒色の樹脂で成形することにより、紫外線遮断性を有するキャップ１と容器本体２を製造することもできる。この容器も、紫外線によって劣化し易い内容物を収容する容器として適している。紫外線によって劣化し易い内容物としては、各種食品の他、感光性フィルムや紫外線硬化型インキあるいは紫外線硬化型の塗料などが例示できる。
【００３３】
なお、キャップ１及び容器本体２のうちいずれか一方を他方より柔軟な材質から構成することが望ましい。例えば、一方をポリプロピレンで構成し、ポリプロピレンより柔軟な高密度ポリエチレンで他方を構成する場合である。キャップ１が柔軟な材質から構成されている場合には、インナーリング１３が内側に向かって一層柔軟に撓むから、開口部周壁２２の進入が一層容易になる。また、容器本体２が柔軟な材質から構成されている場合には、インナーリングが内側に向かってに撓むと共に、開口部周壁２２が外側に向かって撓むから、この場合にも、開口部周壁２２の進入が一層容易になる。すなわち、いずれの場合にも、開口部周壁２２の進入が一層容易になるのである。
【００３４】
なお、キャップ１及び容器本体２のうちいずれか一方を他方より柔軟な材質から構成した場合には、キャップ１の脱着を繰り返しても、螺合を繰り返すことによる削りかすの発生を防止できるという利点を併せ持つ。
【００３５】
本発明に係るキャップ１は射出成形法によって成形することができる。射出成形した後、金型から取り出す際には、いわゆる無理抜きによって型抜きすることができる。すなわち、強い力で金型から引き抜く際、インナーリング１３は、屈曲部１３ｂ、上方部１３ａ、あるいは下方部１３ｃで撓んで、損傷を受けることなく、容易に引き抜くことができる。
【００３６】
また、容器本体２は任意の成形方法によって成形することができる。例えば、押し出しブロー成形法、射出ブロー成形法などである。これら押し出しブロー成形法や射出ブロー成形法でブローするとき、延伸することも可能である。また、容器本体２を射出成形法によって成形することも可能である。
【００３７】
なお、キャップ１として容器本体２に螺合するものを例として本発明を説明したが、これに限らず、打栓方式で装着するキャップを使用することも可能である。また、キャップ天板１１の下面にコンタクトリングを有するキャップを使用することも可能である。コンタクトリングは、キャップ周壁１２とインナーリング１３との間の位置で、天板１１から垂下して設けられるもので、キャップ１を容器本体２に固定したときに、容器本体２の開口部周壁２２の先端部に当接して、この位置で密封するものである。この場合には、インナーリング１３の屈曲部１３ｂとコンタクトリングの双方で密封するため、その密封性が
一層向上する。
【符号の説明】
【００３８】
１      キャップ
１１    キャップ天板
１２    キャップ周壁
１２ａ  ねじ部
１２ｂ  突出部
１３    インナーリング
１３ａ  インナーリングの上方部
１３ｂ  インナーリングの屈曲部
１３ｃ  インナーリングの下方部
１３ｄ  インナーリングの下端部
２      容器本体
２２    開口部周壁
２２ａ  ねじ部
【図１】
2014218283.tif 000003